(57)【要約】【課題】従来、トラクタ等の作業機を傾斜地に平行に保つローリング制御では、傾斜基準値を所定時間内のセンサ検出値の移動平均によって求める構成としていたので、地表の局所的な凹凸やセンサのノイズにより異常値が現れた時に、この異常値が前記所定時間を経過するまで平均値に大きな影響を与え、ひいては、作業機のローリング姿勢を正確に制御できないう課題が有った。【解決手段】トラクタ１にスロープセンサを備え、所定時間毎に該スロープセンサの検出値を取得し第一の平均値を演算する。この第一の平均値と新たに取得した最新のスロープセンサの検出値とを平均して第二の平均値を演算し、この第二の平均値を前記傾斜基準値αとして設定する。また前記第二平均値は、第一平均値と最新のセンサ検出値の移動平均にて演算する。【選択図】                図１
2005287455.tif 000002
【特許請求の範囲】
【請求項１】
車体の端部に作業機（Ｒ）を昇降且つローリング自在に備え、前記作業機（Ｒ）の左右ローリング姿勢を地表の傾斜基準値（α）に基づいて設定位置に維持する作業車両において、前記車体には左右の傾斜角を検出するスロープセンサ（２）を備え、所定時間毎に該スロープセンサ（２）の検出値を取得し第一の平均値を演算すると共に、この第一の平均値と新たに取得した最新のスロープセンサ（２）の検出値とを平均して第二の平均値を演算し、この第二の平均値を前記傾斜基準値（α）として設定する制御手段（Ｃ）を備えたことを特徴とする作業車両のローリング制御装置。
【請求項２】
前記制御手段（Ｃ）では第一の平均値を所定個数記憶し、この所定個数の第一の平均値の値と最新のスロープセンサ（２）の検出値を加えたサンプルデータの移動平均値を、前記傾斜基準値（α）として設定したことを特徴とする請求項１に記載の作業車両のローリング制御装置
【発明の詳細な説明】
【技術分野】
【０００１】
この発明は、農業用トラクタや田植機等、作業車両に装着する作業機のローリング制御装置の構成に関する。
【背景技術】
【０００２】
従来、農業用トラクタ等には、車体後部に作業機を昇降且つ左右ローリング自在に備え、この作業機のローリング角度を地表の左右傾斜状態に関わらず水平、或いは所定角度に維持させる所謂作業機ローリング制御装置を備えるものが知られている。そして、前記トラクタ等では、地表の傾きを車両に備えたスロープセンサで検出する構成とし、例えば所定時間内のセンサ検出値を移動平均することにより傾斜基準値として設定する構成としている。
【特許文献１】特開平7-241102号
【発明の開示】
【発明が解決しようとする課題】
【０００３】
しかしながら、前記従来のように、傾斜基準値を所定時間内のセンサ検出値の移動平均によって求める構成とすると、地表の局所的な凹凸やセンサのノイズにより異常値が現れた時に、この異常値が前記所定時間を経過するまで平均値に大きな影響を与え、ひいては、作業機のローリング姿勢を正確に制御できないという課題が有った。
【課題を解決するための手段】
【０００４】
この発明は上記課題を鑑みて、作業車両の変速制御装置を以下のように構成した。即ち、車体の端部に作業機（Ｒ）を昇降且つローリング自在に備え、前記作業機（Ｒ）の左右ローリング姿勢を地表の傾斜基準値（α）に基づいて設定位置に維持する作業車両において、前記車体には左右の傾斜角を検出するスロープセンサ（２）を備え、所定時間毎に該スロープセンサ（２）の検出値を取得し第一の平均値を演算すると共に、この第一の平均値と新たに取得した最新のスロープセンサ（２）の検出値とを平均して第二の平均値を演算し、この第二の平均値を前記傾斜基準値（α）として設定する制御手段（Ｃ）を備えたことを特徴とする作業車両のローリング制御装置とした。
（請求項１の作用）
以上のように構成した請求項１の発明では、所定時間毎にスロープセンサ（２）の検出値を取得し第一の平均値を演算すると共に、この第一の平均値と新たに取得したスロープセンサ（２）の最新の検出値とを平均して車体の傾斜基準値（α）に設定とする。
【０００５】
また請求項２の発明では、前記制御手段（Ｃ）では第一の平均値を所定個数記憶し、この所定個数の第一の平均値の値と最新のスロープセンサ（２）の検出値を加えたサンプルデータの移動平均値を、前記傾斜基準値（α）として設定したことを特徴とする請求項１に記載の作業車両のローリング制御装置とした。
（請求項２の作用）
以上のように構成した請求項２の発明では、所定個数の第一の平均値の値と最新のスロープセンサ（２）の検出値の検出値を加えたデータサンプルの移動平均値を、前記傾斜基準値（α）として設定する。
【発明の効果】
【０００６】
これにより、請求項１の発明では、最新の変化を傾斜基準値（α）の演算に最も大きく影響させて、作業機（Ｒ）のローリング姿勢を迅速に対応させることができる
また請求項２の発明では、請求項１の効果に加え、センサ（２）の検出値に異常値が生じても、時間が経過するほど異常検出値の影響を次第に小さくすることができ、例えば従来のように所定時間内の所定個数のセンサ検出値を単純に移動平均し、所定時間内はセンサの異常値が常に一定に影響する構成と比較して、正確な傾斜基準値（α）を求めることができ、ひいては作業機（Ｒ）のローリング制御装置を正確に作動させることができる。
【発明を実施するための最良の形態】
【０００７】
以下、図面に基づいて、この発明を農業用トラクタ（以下、トラクタ１）の変速装置に搭載した場合について説明する。
【０００８】
最初にトラクタ１の構成について説明する。
【０００９】
トラクタ１は、図１と図２に示すように、ボンネット１１内部にディーゼルエンジンＥを備え、このエンジンＥの回転動力をミッションケース１０内の各種変速装置へ伝達し適宜減速した後、走行輪となる左右後輪１２Ｒ、または左右前後輪１２Ｆ，１２Ｒへ伝達して走行する構成となっている。
【００１０】
トラクタ１の操縦席１３の下方には、制御手段となるコントローラＣや車体の傾斜角を検出するセンサとなるスロープセンサ２を設け、操縦席１３の前方には、前記前輪１２Ｆを操舵するステアリングハンドル１４を突出して設け、この下方に前後方向に回動操作する前後進切替レバー１５、ワンタッチ式作業機昇降レバー１６、及びアクセルレバー１７を設けている。そして前記アクセルレバー１７の回動基部には、摩擦材を有するレバー保持機構を設けると共に、ワイヤーを介して前記エンジン側部の調速機構Ｇに接続する構成となっている。これにより、エンジンＥのアクセル位置を設定された位置に保持することができる。
【００１１】
また前記エンジンＥには、この出力軸はエンジン回転センサ２２を備えると共に、調速機構Ｇに、同エンジンＥの出力回転数を増減操作する電動モータ式のアクチュエータ（以下、アクセル調整モータ１８）を備え、前記前後進切替レバー１５の後進操作や、作業機Ｒの上昇操作に連動して同エンジンＥの出力回転数を所定量だけ低下させる構成となっている。
【００１２】
また、前記ステアリングハンドル１４下方には、クラッチペダル１９や左右ブレーキペダル２０，２０、アクセルペダル２１を設け、夫れ夫れの回動基部にペダル復帰用のスプリングを設ける構成となっている。また前記アクセルペダル２１の回動基部には、前記アクセルレバー１７と同様に、ワイヤーを介して前記エンジンＥの調速機構Ｇへ接続する構成となっている。これにより、前記アクセルレバー１７により設定保持されたアクセル設定位置を下限として、アクセルペダル２１の踏み込み時にだけエンジン回転数を上昇させ、踏み込み解除時に元の位置に復帰する構成となっている。
【００１３】
また、図３に示すように、操縦席１３側方には、ｈ型シフト式の変速レバー２５を設け、同レバー２５の回動操作により全３段（Ｌ，Ｍ，Ｈ）の副変速装置を切り替える構成となっている。またこのレバー把持部２５ｇには、全８段の主変速装置を切り替える前後一対の変速スイッチ（変速アップスイッチ２５ｕ、変速ダウンスイッチ２５ｄ）を設け、オペレータのスイッチ操作によりコントローラＣの通電指令を介し主変速装置の変速位置を１速ずつ切り替える構成となってる。
【００１４】
また前記変速レバー２５では、前記Ｈ段の副変速位置を、第１速から第８速の全主変速位置を切替可能な作業用高速位置Ｈ１と、主変速第１速から第４速を変速不能とし且つ第５速から９速の主変速位置を切り替える走行用高速位置Ｈ２との二パターンに切替可能に構成し、前記副変速位置Ｍ段と、Ｌ段と合わせて４つの変速領域を選択する構成となっている。そして、これら選択領域は、レバー回動基部に備えた副変速位置センサ２６Ｌ，２６Ｍ，２６Ｈ１，２８Ｈ２にて検出する構成となっている。
【００１５】
また同じく操縦席１３側方には、車体後部の作業機、図中ではロータリ作業機Ｒの高さを変更する作業機昇降用レバー３２を設け、このレバー３２の回動基部に操作位置を検出するポテンショメータ３２ｓを設けている。また更にこれらレバー３２のガイド後方には、トラクタ１の旋回操作に連動して作業機Ｒを上昇したり、前輪１２Ｆの周速を後輪１２Ｒの周速に対して増速したり、旋回内側の後輪ブレーキ制動させる旋回制御装置の作動を入り切りする旋回制御入切スイッチ２９、前記旋回時に旋回内側の後輪ブレーキ圧を設定するブレーキ圧設定器３０、複数種の作業機ローリング制御モードを選択するタクトスイッチ式のローリング制御モード設定器３１、傾き向き調整ダイヤル３３、手動傾き設定スイッチ５７ａ，５７ｂ等の各種設定器を設けている。
【００１６】
ここで図４に基づいて前記後輪ブレーキ機構のリンク構成について説明する。
【００１７】
前記後輪ブレーキ機構は、左右夫れ夫れの後輪駆動軸３４近傍のミッションケース１０にブレーキ操作アーム３５を前後回動自在に支持し、この操作アーム３５を前記ブレーキペダル２０，２０の踏み込み操作でリンクアーム４２及びロッド４３部材等の機械的連動機構を介して回動操作すると共に、同連動機構をトラクタ１の旋回時にシリンダ式油圧アクチュエータ（以下、ブレーキシリンダ３６）の駆動により強制的に押し引き操作して前記ブレーキ操作アーム３５を回動操作する構成となっている。
【００１８】
詳しくは、前記トラクタ１のフロア４０の下方に、左右に延設したフロア支持ブラケット４１を設け、このブラケット４１下方に前記ブレーキシリンダ３６の基部を取り付け、このピストン先端部をフロア４０下方に回動自在に支持した側面視「へ」の字型リンクアーム４２の後端部に接続する構成（図中（Ａ））となっている。また前記リンクアーム４２の前端部は前記ブレーキペダル基部に接続した上下方向のロッド４３を連結し、前記後端部は車体後方まで略水平上に延設したロッド４４を介して前記ブレーキ操作アーム３５に連結する構成となっている。
【００１９】
またここでは、前記リンクアーム４２の後端部を二股状に分岐する形状とし、この分岐部に同一形状の長穴４２ａを開口する一方、前記ブレーキシリンダ３６のピストン先端部に、左右両側部を中央部と比較して小径とした段差部４５ａを備え且つ側面視前後に偏平部を有するピン４５（図中（Ｂ））を取り付ける構成となっている。そして、このピン４５の偏平部を、前記シリンダ３６を下方から前記リンクアーム４２の分岐間に挿通した後、同ピン４５を９０度回転させて、前記段差部４５ａを長穴４２ａに係止させた状態で同シリンダ３６を略水平状態に固定する。
【００２０】
これより、前記ブレーキシリンダ３６のピストン先端部をリンクアーム４２の長穴４２ａ内で摺動自在に連結することができ、前記ブレーキペダル２０，２０を踏み込んだ時に前記ブレーキシリンダ３６へ過剰な負荷がかかるることが無くなり、耐久性を損なうことが無い。
【００２１】
またトラクタ１の車体後部には、作業機昇降用油圧シリンダ４８を内装するシリンダケース４９を備え、前記シリンダ４８のピストン伸縮によりケース４９左右に支持するリフトアーム５０，５０を上下回動する構成となっている。また、車体後部にはトップリンク５１ａと左右ロアリンク５１ｂ，５１ｂとから成る三点リンク機構５１を設け、同リンク機構５１に前記作業機Ｒを連結する構成となっている。また前記左右一側のリフトアーム５０とロアリンク５１ｂとを固定ロッド５２にて接続し、他側を作業機ローリング用油圧シリンダ８及びこのピストン伸縮長さを検出するストロークセンサ８ｓにて接続し、作業機Ｒの左右一側（図例では右側）を上下操作して作業機の左右ローリング姿勢を変更する構成となっている。また前記リフトアーム５０の片側には、この回動基部にリフトアーム角センサ５０ｓを設けている。
【００２２】
これにより、前記コントローラＣでは、作業機昇降用レバー３２の操作角度とリフトアーム５０の設定角度とを一致させるように、作業機上昇用の比例圧力制御弁５３のソレノイド５３ｓ、或いは作業機下降用制御弁５４のソレノイド５４ｓへ通電し作業機Ｒを昇降する構成となっている。また前記ワンタッチ式作業機昇降レバー１６の上下操作によって同作業機Ｒを、作業位置と別途設定した上げ位置との間を一気に上昇、若しくは下降させる構成となっている。
【００２３】
また前記作業機ローリング制御装置では、図５と図６に示すように、ポンプＰからの圧油を前記ローリング用油圧シリンダ８へ三位置切替制御弁５９の切替操作により連通させる構成となっている。
【００２４】
詳しくは、前記切替制御弁５９のスプール５９ｓの両側にシリンダ短縮用のソレノイド５９ａと伸長用のソレノイド５９ｂとを備え、前記伸長用のソレノイド５９ｂへ通電することにより、前記スプール５９ｓを移動し、ポンプＰからの圧油を前記シリンダ８へ送り込み、前記作業機Ｒの右側を下げる構成となっている。また前記短縮用のソレノイド５９ａへ通電することにより、前記スプール５９ｓを移動し、ポンプＰからの圧油を二つのチェック弁５５ａ，５５ｂを介して圧油を送り込み、作業機Ｒの右側を上げる構成となっている。また前記二つのチェック弁の内、回路上手側に備えたチェック弁５５ｂは、伸長用のソレノイド５９ａへ通電したときに、排出油路の開度を保つリフトリクション機構を構成するチェック弁５５ｂとなっており、前記ピストン伸長用のソレノイド５９ａへ通電が行なわれると、シリンダ８内の圧油はチェック弁５５ｂ及び制御弁５９内のスプール５９ｓに形成したオリフィス５９ｏを介してタンクポートＴへ落ちる構成となっている。
【００２５】
尚、図中符号Ｂはバルブの筐体を示し、前記切替制御弁５９、チェック弁５５ａ，５５ｂを一体的に内装する構成となっている。
【００２６】
そして、作業機ローリング制御では、前記ローリング制御モード設定器３１が「自動水平モード」であるときには前記スロープセンサ２の検出値と前記ストロークセンサ８ｓの検出値が別途備えた傾き調整ダイヤル５６の値を維持するべく前記ローリング用油圧シリンダ８のピストンを駆動する。
【００２７】
また「傾斜モード」では前記スロープセンサ２の検出値から地表の傾きを演算し、前器作業機Ｒの傾きを地表と平行になるよう前記ローリング用油圧シリンダ８のピストンを伸縮駆動する。
【００２８】
また「平行モード」では、前記ローリング用油圧シリンダ８の長さを固定ロッド５２の長さ、或いは前記傾き手動スイッチ５７の設定長さを維持する様、ローリング用油圧シリンダ８のピストンを駆動する。
【００２９】
次に、トラクタ１の制御系統について図７に基づいて説明する。
【００３０】
前記トラクタ１のコントローラＣは、ホストコントローラとなる前記作業機Ｒの昇降及びローリング制御を司る作業機制御用コントローラＣ１と、メータパネルＭ上の各種表示機器を制御するメータパネル用コントローラＣ２と、、走行用コントローラＣ３とから構成され、夫れ夫れ内部に各種センサや設定器の情報を処理するＣＰＵ、前記情報を一時記憶するＲＡＭ、各種制御プログラム等を記憶するＥＥＰＲＯＭ等を備えると共に、他のコントローラのセンサ情報を共有するべく、通信回線で接続する構成となっている。
【００３１】
そして、作業機制御用コントローラＣ１の入力部には、ワンタッチ式作業機昇降レバー１６基部の上げスイッチ１６ａ及び下げスイッチ１６ｂと、作業機昇降レバー２８基部のポテンショメータ２８ｓと、リフトアーム角センサ４２ｓ、ローリング制御モード設定器３１と、傾き調整ダイヤル３３と、手動傾き設定スイッチ５７、スロープセンサ２、ストロークセンサ８ｓ等を接続して設けている。
【００３２】
また出力側には、前記リフトアーム４２を上動させるべく作業機昇降用油圧シリンダ４８へ圧油を送る比例流量制御弁５３のソレノイド５３ｓと、作業機昇降用油圧シリンダ４８から圧油を排出させる比例流量制御弁５４のソレノイド５４ｓと、ローリング用油圧シリンダ８へ圧油を送る切替制御弁５９のソレノイド５９ａと、ローリング用油圧シリンダ８から圧油を排出する前記切替制御弁５９のソレノイド５９ｂとを接続して設けている。
【００３３】
以上のように構成したトラクタ１では、図８と図９に示すように、作業機ローリング制御が行われる。
【００３４】
最初にトラクタ１の電源系をＯＮすると、作業機用コントローラＣ１では、各種センサや設定器の接続状態を読み込み、センサの診断処理を行う。このセンサの診断処理では、前記作業機昇降レバー２８基部のポテンショメータ２８ｓやリフトアーム角センサ４２ｓといった、トラクタ１に標準装備するセンサの検出値が予め設定した範囲を超えて、異常値を示す場合は、前記メータパネルＭへ警告を表示する。
【００３５】
一方、トラクタ１にオプション部品として装備するセンサ、例えば旋回制御装置を行う上で利用する前輪切角センサ３７等が予め設定した範囲を超える場合は、警告を行わず旋回制御を行う処理だけをジャンプする。
【００３６】
また前記作業機用コントローラＣ１では、前記ローリング制御モード設定器３１の設定状態を判定する。
【００３７】
そして前記制御モードの設定が「自動水平モード」であれば、前記スロープセンサ２の値を所定時間毎に取得し、この値に対して前記作業機Ｒが傾き調整ダイヤル３３の設定傾きとなるよう、前記ローリング用油圧シリンダ８のピストンを伸長、或いは短縮し、作業機Ｒの角度を保持する構成となっている。
【００３８】
また前記制御モードが「平行モード」であれば、前記傾き手動スイッチ５７の設定操作に応じて前記ローリング用油圧シリンダ８の長さを変更し、以後、前記ローリング用油圧シリンダ８のピストンを設定し、以後外部から負荷が係ったり、内部圧油がリークしても前記シリンダ８の長さを一定に保つ構成となっている。
【００３９】
また前記制御モードが「傾斜モード」であれば、傾斜基準値演算処理で求められた傾斜基準値に基づいて作業機Ｒの傾きを地表と平行になるよう前記ローリング用油圧シリンダ８のピストンを伸長、或いは短縮し、作業機Ｒの角度を保持する構成となっている。
【００４０】
前記傾斜基準値演算処理では、図９と図１０に示すように、前記作業機用コントローラＣ１が所定時間毎にスロープセンサ２の検出値（データサンプル値）を取得し、最初にスロープセンサ２の平均値（第一平均値Ａｖｅｎ）を演算する。そして次に、この第一平均値と、新たに取得した最新のスロープセンサ２のセンサ値により第二平均値を演算し、この第二平均値を地表の傾斜基準値αとして前記ＲＡＭに設定する。またここでは前記センサ２の検出値の個数（サンプル数）を所定個数ｎ個まで演算し、この第二平均値のｎ個のデータと、新たに取得した最新のスロープセンサ２の検出値のデータとを移動平均して地表の傾きを演算する構成となっている。
【００４１】
換言すると、ｎ個以上溯った過去の第一平均値を消去し、新しく求めた第一平均値を、順次傾斜基準値αでサンプル値として演算に採用する。
【００４２】
これにより、最新の変化を傾斜基準値αの演算に最も大きく影響させて、作業機Ｒの「傾斜モード」に於けるローリング姿勢を迅速に対応させることができる。また、スロープセンサ２の検出値に異常値が生じても、時間が経過するほど異常検出値の影響を次第に小さくすることができ、例えば所定時間内の所定個数のセンサ検出値を単純に移動平均し、所定時間内はセンサ２の異常値が常に一定に影響する構成と比較して、正確な傾斜基準値αを求めることができ、ひいては作業機Ｒのローリング制御装置を正確に作動させることができる。
【００４３】
尚、この傾斜基準値αについては、この値をメータパネルＭに表示したり、圃場マップを作成或いは表示するときのデータ値としても良い。また実際の制御の開始は、前記第一平均値（Ａｖｅｎ）のサンプル個数がｎ個に至ったときに開始し、これまではパイロットランプを点滅して準備状態を表示する構成としても良い。また前記ローリング制御装置のモード設定器３１を、図１１に示すように、前記「水平モード」の代わりに前記手動傾き設定スイッチ５７により作業機Ｒの傾きを任意に変更できる「手動モード」を有する構成としても良い。この際、モード設定器の設定ポジションは、「手動モード」を挟んで「傾斜モード」と「平行モード」を両側に夫れ夫れ配置する構成とし、モード切替時に、前記ローリング用油圧シリンダ８が不用意に駆動されることが無い様に図る。
【００４４】
次に前記走行用コントローラＣ３の構成と、同コントローラＣ３が行う各種制御装置について説明する。
【００４５】
走行用コントローラＣ３は、この入力部に変速レバー２５の把持部の変速アップスイッチ２５Ａとダウンスイッチ２５Ｂ、レバー基部の副変速位置センサ２６Ｌ，２６Ｍ，２６Ｈ１，２６Ｈ２、ミッションケース内部に備えた主変速位置センサ２７ａ，２７ｂ…、前進スイッチ１５ａ及び後進スイッチ１５ｂ、旋回制御入切スイッチ２９、ブレーキ圧設定器３０、車両の旋回操作を検出するセンサとなる前輪切角センサ３７、アクセル制御入切スイッチ６１、負荷制御入切スイッチ６２ａ、負荷設定スイッチ６２ｂを接続して設けている。
【００４６】
また出力部には、主変速装置の変速位置切替用のアクチュエータを駆動する制御弁のソレノイド６５ａ，６５ｂ…、前後進切替装置の前後進切替位置を変更する制御弁のソレノイド６６ａ，６６ｂ、アクセル位置を増減操作するアクセル調整モータ１８、左右夫れ夫れの後輪を制動する前記ブレーキシリンダ３６，３６を駆動する比例流量制御弁のソレノイド６６Ｌ，６６Ｒを接続して設けている。
【００４７】
そして以上のように構成した走行用コントローラＣ３では、アクセル制御入切スイッチ６１が入のときアクセル制御を作動させる。
【００４８】
詳しくは、前記ワンタッチ式作業機昇降レバー１６基部の上昇スイッチ１６ａのＯＮ操作や、昇降レバー２８基部のポテンショメータ２８ｓにより作業機Ｒの上昇操作を監視し、この操作を検出した時には、作業機Ｒの負荷が軽減したと想定し、前記アクセル調整モータ１８へ通電しアクセル位置を、エンジン低回転側へ変更する。また前記作業機Ｒを下降操作した際には前記アクセル位置を復帰させる。
【００４９】
また前記アクセル制御では、前記変速レバー２５をＬ，Ｍ，Ｈ１位置、即ち作業を想定した位置間でレバーを切替操作する間は作動しつづける構成とし、変速レバー２５が路上走行領域Ｈ２に操作すると、作動を切りとして、同制御入切スイッチ６１が再度入り設定されたときに同制御を作動する構成となっている。
【００５０】
尚、前記アクセル制御は、作業機Ｒの上昇操作を検出して作動する構成としたが、これをリフトアーム５０側、即ち作業機Ｒの上昇駆動を検出する構成としても良い。また、作業機の上昇操作または上昇駆動に加えて前記後進スイッチ１５ｂによりトラクタ１の後進操作を検出し、この時アクセル位置を低回転側に変更する構成としても良い。
【００５１】
また前記負荷制御では、前記エンジン回転センサ２２によりトラクタ１に係る負荷状態を監視しながら、一定速度で走行する制御であり、前記負荷設定スイッチ６２ｂを押込むと、この時点での速度Ｖを基準とし、このＶ＋αの速度を上限として、前記コントローラＣ３が変速位置及びアクセル位置を上下操作して車両を定速走行する構成となっている。
【００５２】
これにより、作業に適した負荷状態と車速を、オペレータ自ら決定し、安定した低速走行を行うことができる。
【図面の簡単な説明】
【００５３】
【図１】トラクタの背面図。
【図２】トラクタの全体側面図。
【図３】変速レバー近傍の側面図及び平面図。
【図４】（Ａ）ブレーキシリンダの取付状態を示す図。（Ｂ）ブレーキシリンダのピストン先端部に備えるピンの正面図と側面図。（Ｃ１）ブレーキシリンダの取付作用を示す背面図。（Ｃ２）ブレーキシリンダの取付作用を示す側面図。
【図５】トラクタの一部油圧回路図。
【図６】（Ａ）ローリング用切替制御弁のバルブ内部を示す断面図。（Ｂ）その油圧回路図。
【図７】コントローラの接続状態を示す図。
【図８】制御全体の概要を示すフローチャート。
【図９】傾斜基準値演算処理の概要を示すフローチャート。
【図１０】傾斜基準値演算処理のサンプルデータ取得数を示す図。
【図１１】ローリング制御モード設定器の別形態。
【符号の説明】
【００５４】
１  トラクタ
２  スロープセンサ
Ｃ  コントローラ
Ｅ  エンジン
Ｒ  ロータリ作業機
【図１】
2005287455.tif 000003
【図２】
2005287455.tif 000004
【図３】
2005287455.tif 000005
【図４】
2005287455.tif 000006
【図５】
2005287455.tif 000007
【図６】
2005287455.tif 000008
【図７】
2005287455.tif 000009
【図８】
2005287455.tif 000010
【図９】
2005287455.tif 000011
【図１０】
2005287455.tif 000012
【図１１】
2005287455.tif 000013